(57)【要約】【課題】本発明は、脱毛テープやホコリ取り用テープ、補修テープ等の粘着テープで、指に巻く、掌側に貼る、衣類等に貼るなどして使用するエチケットバンドを提供する。【解決手段】指先表面を強力粘着部で覆うように巻き、エチケットバンドを巻いた指と親指でムダ毛を掴み、脱毛することを特徴とする指に巻く脱毛用エチケットバンド、またエチケットバンドを親指と人差し指で二つ折りにして持ち、数本のムダ毛を挟むように貼り、脱毛することを特徴とする脱毛用エチケットバンドで、補修テープとして、また、両面をホコリ取りとして、また、粘着部を指に巻く、掌側に貼り、簡易ホコリ取りテープとして使用することを特徴とするエチケット用エチケットバンドである。形状は、用途に合わせ、さまざまな形状、サイズで、一枚一枚単独でパッケージされている、又は、ロール状、数枚が連なったシート状等であることを特徴とするエチケットバンドである。【選択図】図１
2014168638.tif 000002
【特許請求の範囲】
【請求項１】
指先表面を強力粘着部（１）で覆うように巻き、ムダ毛（５）を強力粘着部（１）に貼り、エチケットバンドを巻いた指と親指（４）でムダ毛（５）を掴み、脱毛することを特徴とする指に巻く脱毛用エチケットバンド。
【請求項２】
エチケットバンドを親指と人差し指で二つ折りにして持ち、強力粘着部（１）に数本のムダ毛を挟むように貼り、脱毛することを特徴とする脱毛用エチケットバンド。
【請求項３】
補修テープとして、また、強力粘着部（１）粘着部（２）両面を衣類等のホコリ取りテープとして、また粘着部（２）を指に巻く、掌側に貼るなどして、強力粘着部（１）を衣類等の簡易ホコリ取りテープとして使用することを特徴とするエチケット用エチケットバンド。
【請求項４】
形状は、Ｔ字、三角、四角、長方、多角形、角丸（Ｔ字、三角、四角、長方、多角形）、円形、楕円形、変形、ひょうたん形、ハート形、キャップ型などで、用途に合わせ、さまざまな形状・サイズであることを特徴とする、請求項１、請求項２、請求項３に記載のエチケットバンド。
【請求項５】
一枚一枚単独でパッケージされている、又は、ミシン目（１２）入りのロール状、ミシン目（１２）入りで数枚が連なったシート状等であることを特徴とする、請求項１、請求項２、請求項３に記載のエチケットバンド。
【発明の詳細な説明】
【技術分野】
【０００１】
本発明は、脱毛テープやホコリ取り用テープ、補修テープ等の粘着テープで、指に巻く、掌側に貼る、衣類等に貼るなどして使用するエチケットバンドに関するものである。
【背景技術】
【０００２】
従来、脱毛といえば、脱毛テープ、脱毛ワックス、毛抜き等を使用するか、エステサロンに通うなどの方法がある。ホコリ取りとしては、カーペットクリーナー、クリーンブラシなどがあり、補修テープとしては、セロハンテープ、両面テープ、ガムテープなどがある。
【発明の概要】
【発明が解決しようとする課題】
【０００３】
従来より次のような問題点があった。
（イ）脱毛ワックスや脱毛テープ等は、使用するとき誰かに見られたら恥ずかしいなど、使い場所に困ることや、処理に時間がかかり使いづらかった。
（ロ）脱毛ワックスや脱毛テープ等は、広範囲を一度に処理するため痛い。また、粘着剤で皮膚を傷つけることがあり肌トラブルがあった。
（ハ）エステサロンに通うには、お金や時間がかかる。
（ニ）外出中、衣類等についたホコリが気になっても、取り除く方法が無く困ることがあった。
（ホ）外出中に、衣類や持ち物等が破れてしまうなど突然のアクシデントがあったとき、何の手立ても無く困ることがあった。
本発明は、以上の問題点を解決しようとするものである。
【課題を解決するための手段】
【０００４】
指先表面を強力粘着部（１）で覆うように巻き、数本のムダ毛（５）を強力粘着部（１）に根元から貼り付け、エチケットバンドを巻いた指と親指（４）でムダ毛（５）を掴み、皮膚を押さえながら脱毛することを特徴とする指に巻く脱毛用エチケットバンドである。
【０００５】
エチケットバンドを親指と人差し指で二つ折りにして持ち、強力粘着部（１）に数本のムダ毛を挟むように貼り、脱毛することを特徴とする脱毛用エチケットバンドである。
【０００６】
補修テープとして、また、強力粘着部（１）粘着部（２）両面を衣類等のホコリ取りテープとして、また粘着部（２）を指に巻く、掌側に貼るなどして、強力粘着部（１）を衣類等のホコリ取りテープとして使用することを特徴とするエチケット用エチケットバンドである。
【０００７】
形状は、Ｔ字、三角、四角、長方、多角形、角丸（Ｔ字、三角、四角、長方、多角形）、円形、楕円形、変形、ひょうたん形、ハート形、キャップ型などで、用途に合わせ、さまざまな形状・サイズで、一枚一枚単独でパッケージされている、又は、ミシン目入りのロール状、ミシン目入りで数枚が連なったシート状等であることを特徴とするエチケットバンドである。
以上のような手段をとることにより、上記課題を解決しようとするものである。
【発明の効果】
【０００８】
指先表面を強力粘着部で覆うように巻いたら、数本のムダ毛を根元から貼り付け、エチケットバンドを巻いた指と親指でムダ毛を掴み、皮膚を押さえながら脱毛する。ムダ毛をしっかり掴むことで、一度に数本をきれいに処理することができ、数回繰り返し使用すれば、一枚のエチケットバンドで、ある程度広範囲を処理することが可能である。
シート状の脱毛テープに比べ、粘着部が直接皮膚に当たることが少なく肌トラブルのリスクも減り、皮膚を押さえながら脱毛することで痛みも軽減される。また、抜いたムダ毛は、エチケットバンドに包んで捨てれるので衛生的である。
忙しい毎日、ムダ毛には年齢男女問わず誰しもが悩むところであり、たとえば、男性の鼻毛もエチケットバンドがあれば、気付いたときにさっと処理でき、女性にとっても、嵩張らず持ち運べるエチケットバンドなら、気になったときに、いつでも手軽・簡単に使用できる。
他人の鼻毛が出ていても、なかなか指摘できず言うのを躊躇しがちですが、自分の鼻を指し、エチケットバンドを渡せば、周りの人に気づかれず相手に伝えることができ、処理するよう促すことができる。    
外出中、衣類等のホコリが気になったときにも、強力粘着部、粘着部、両面をホコリ取りテープとして、また粘着部を指に巻く、掌側に貼るなどして、強力粘着部を衣類等の簡易ホコリ取りテープとして便利に使用することができる。
また、衣類や持ち物が破れるなど、外出中突然のアクシデントがあったときにも、咄嗟の処置に補修テープとして利用できる。
用途に合わせ、さまざまな形状、サイズでの提供が可能である。
携帯しやすく、一枚一枚単独でパッケージされている、又は、ミシン目入りのロール状、ミシン目入りで数枚が連なったシート状等の提供なら、大きいサイズでの使用が可能になり、コスト削減にもなる。
【図面の簡単な説明】
【０００９】
【図１】本発明の正面図である。（a）表を示した正面図である。（b）裏を示した正面図である。（c）使用方法を示した正面図である。（d）着用時を示した正面図である。
【図２】本発明の使用状態を示した斜視図である。
【図３】本発明の断面図である。
【図４】本発明の一実施例を示す正面図である。
【図５】本発明の着用方法で一実施例を示す正面図である。
【図６】図５における着用状態の一実施例を示す斜視図である。
【図７】本発明の形状例を示す正面図である。（a）表を示した正面図である。（b）裏を示した正面図である。（c）使用方法を示した正面図である。（d）着用時を示した正面図である。
【図８】本発明の二つ折りにした状態での一実施例を示す斜視図である。
【図９】本発明のホコリ取りテープとしての一実施例を示す斜視図である。
【図１０】（a）本発明のロール状である一実施例を示した斜視図である。（b）本発明のシート状である一実施例を示した正面図である。
【発明を実施するための形態】
【００１０】
以下、本発明の形態、実施例を図面に基づいて詳述するが、本発明はこれらに限定されるものではない。
図３は、エチケットバンドの断面を示す図である。基材のシート（７）の表に強力粘着部（１）を設け、裏に粘着部（２）を設け、両面上にフィルム（６）を設ける。使用時にはフィルム（６）を外すため、他の図にはフィルム（６）を省略する。
【００１１】
図１（a）は、本発明の表面を示す図で強力粘着部（１）を設ける。（ｂ）は、本発明の裏面を示す図で、粘着部（２）を設ける。（c）は、装着方法を示す図で、指を粘着部（２）に置き、横粘着部（２）を指に貼り、縦粘着部（２）を貼れば、（d）の図のように、指先全体が強力粘着部（１）で覆われた状態になる。
【００１２】
図２は、本発明の使用状態を示した斜視図である。指先の強力粘着部（１）に、ムダ毛（５）を数本根元から貼りつけ、エチケットバンドを巻いた指（３）と親指（４）でムダ毛（５）を掴み皮膚を押さえながら脱毛する。
ムダ毛をしっかり掴むことで、一度に数本をきれいに処理することができ、数回繰り返し使用すれば、一枚のエチケットバンドで、ある程度広範囲を処理することが可能である。シート状の脱毛テープに比べ、粘着部が直接皮膚に当たることが少なく肌トラブルのリスクも減り、皮膚を押さえながら脱毛することで痛みも軽減される。
【００１３】
図４は、本発明の一実施例を示す正面図である。鼻毛（８）をエチケットバンドを巻いた指と親指で掴み脱毛する。
鼻毛が出ていると気づき、指で掴みひっぱって抜けにくい場合でも、エチケットバンドを使えばしっかり鼻毛を掴むことができ、簡単に処理することができる。なにより、抜いたムダ毛は、エチケットバンドに包んで捨てられるので衛生的である。また、他人の鼻毛が出ているとき、知らせたくても、なかなか言えず躊躇しがちですが、自分の鼻を指しエチケットバンドを渡せば、周りの人に気づかれず、相手に鼻毛が出ていることを伝えられ、処理するよう促すことができる。
【００１４】
図５は、本発明の着用方法の一実施例を示す正面図である。エチケットバンドを着用する際、指先に少し余り部（９）を設ける。図6は、図５における着用状態の一実施例を示す斜視図である。余り部（９）を爪のように利用して、斜めになっているムダ毛（５）を起こしながら脱毛することができる。
【００１５】
図７は、本発明の形状例を示す正面図で、長方形のエチケットバンドである。本発明の形状は、Ｔ字、三角、四角、長方、多角形、角丸（Ｔ字、三角、四角、長方、多角形）、円形、楕円形、変形、ひょうたん形、ハート形、キャップ型などで、用途に合わせ、さまざまな形状、サイズでの提供が可能である。
【００１６】
図８は、本発明の二つ折りにした状態での一実施例を示す斜視図である。エチケットバンド（１０）を親指と人差し指で二つ折りにして持ち、強力粘着部に数本のムダ毛（５）を挟むように貼り、脱毛する。
【００１７】
図９は、本発明のホコリ取りテープとしての一実施例を示す斜視図である。粘着部を掌側に貼りつけ強力粘着部を衣類等のホコリ取りとして使用する。
【００１８】
図１０は、（a）本発明のロール状である一実施例を示した斜視図である。ミシン目（１２）を設け切り易くする。大きいサイズでの使用も可能である。（b）本発明のシート状である一実施例を示した正面図である。ミシン目（１２）を設け切り易くする。大きいサイズでの使用も可能である。
【産業上の利用可能性】
【００１９】
傷用絆創膏は、傷を負ったときでなければ使用しませんが、ムダ毛やホコリは、年齢男女問わず日常的な問題で、エチケットバンドを携帯していれば、脱毛以外にも、補修テープや簡易ホコリ取り用テープとして、いろんな場面での利用の可能性があり、かなりの消費が期待できる。また、エチケットテープ、エチケットバンドとして販売すれば脱毛テープとするよりも、買い求めやすく、販売場所を選ばないので産業上の利用可能性は広範囲になる。
【符号の説明】
【００２０】
１  強力粘着部
２  粘着部
３  人差し指
４  親指
５  ムダ毛
６  フィルム
７  シート
８  鼻毛
９  余り部
１０  エチケットバンド
１１  衣類
１２  ミシン目
【図１】
2014168638.tif 000003
【図２】
2014168638.tif 000004
【図３】
2014168638.tif 000005
【図４】
2014168638.tif 000006
【図５】
2014168638.tif 000007
【図６】
2014168638.tif 000008
【図７】
2014168638.tif 000009
【図８】
2014168638.tif 000010
【図９】
2014168638.tif 000011
【図１０】
2014168638.tif 000012